(57)【要約】【課題】  熱処理、メッキ等の工程を通過する際に発生したネジ部品のネジ山における打痕等を除去する一方、ネジ部品の上下又は左右方向への振れを検出して不良品の判別を行う不良ネジ部品検出機を得ること。【解決手段】  対向状に配置される固定及び移動側の平ネジゲージ２，３を備え、これら両ネジゲージ２，３間をネジ部品Ａが回転移動する際に、ネジ部品Ａの外周部にローリング転造でネジ山を修正加工すべくなす一方、両ネジゲージ２，３にネジ部品Ａのネジ部に対する頭部Ａ１の底面の取り付き角度の測定を行うセンサー７，８を設けて、このセンサー７，８による検出結果に基づいて良品と不良品との判別を行い、かつ、不良品については良品とは別に排除するための不良品排除通路１４を設けた。【選択図】  図２
2006289483.tif 000002
【特許請求の範囲】
【請求項１】
対向状に配置される一対のネジゲージを備え、これら両ネジゲージ間をネジ部品が回転移動する際に、ネジ部品の外周部にローリング転造でネジ山を形成又はネジ山を修正加工すべくなす一方、両ネジゲージのいずれか一方又は両方にネジ部品のネジ部に対する頭部の底面の取り付き角度の測定を行うセンサーを設けて、このセンサーによる検出結果に基づいて良品と不良品との判別を行い、かつ、不良品については良品とは別に排除するための不良品排除通路を備えていることを特徴とする不良ネジ部品検出機。
【請求項２】
固定側ネジゲージと固定側ネジゲージに対して対向状に配置される移動側ネジゲージとを備え、これら両ネジゲージ間をネジ部品が回転移動する際に、ネジ部品のネジ山を修正加工すべくなす一方、固定側ネジゲージと移動側ネジゲージにネジピッチ方向と平行する空間を任意の間隔をおいて配置すると共に、この空間にセンサープローグを挿入しネジ部品の頭部底面の上下方向への振れをネジピッチを基軸に測定検出するセンサーを設けて、これらのセンサーの検出結果に基づいて良品と不良品との判別を行い、かつ、不良品については良品とは別に排除するための不良品排除通路を備えていることを特徴とする不良ネジ部品検出機。
【請求項３】
固定側ネジゲージと固定側ネジゲージに対して対向状に配置される回転側ネジゲージとを備え、これら両ネジゲージ間をネジ部品が回転移動する際に、ネジ部品のネジ山を修正加工すべくなす一方、固定側ネジゲージを通過した時点に２個の回転するローラーを配設し、回転側ネジゲージにより２個のローラー中間にてネジ部品を回転させ、ネジ部品頭部の上下、左右の振れを検出するセンサーを頭部周辺に設けていることを特徴とする不良ネジ部品検出機。
【発明の詳細な説明】
【技術分野】
【０００１】  本発明は、主として熱処理、メッキ等の工程を通過する際に発生したネジ部品のネジ山における打痕等を除去する一方、ネジ部品の頭部底面の上下方向への振れを検出して不良品の判別を行う不良ネジ部品検出機に関する。
【背景技術】
【０００２】  従来、例えばネジ転造装置でネジ転造されネジ部品は、後工程で熱処理、メッキ等が施される。その場合、熱処理、メッキ等の工程を通過する際にネジ部品のネジ山に打痕等の凹凸傷が発生する不具合があり、また、圧造機によるネジ本体の成形時にネジ部品の頭部の軸部の中心に対する垂直度が得られず、図３に示すように頭部底面に上下方向への振れ（傾斜）があったりすることがある。このようなネジ部品を例えばドレンタンクなどのプラグ（底蓋）として使用すると、プラグにおける頭部のドレンタンクの開口部との平行度が得られず、油漏れなどを起こす原因となるため使用できないものであった。そして、ネジ部品のネジ山における打痕等の凹凸傷については、再転造用のネジ転造装置でネジ山部分を再度ネジ転造して打痕をなくすようになされており、また、ネジ部品の頭部底面における傾斜については、検査用のナットにネジ部品を１個ずつ装着して隙間ゲージでその隙間を確認し、良品であるか不良品あるかの判断を行っている。
【発明の開示】
【発明が解決しようとする課題】
【０００３】  ところで、上記した再転造用のネジ転造装置によれば、ネジ部品のネジ山における打痕等の凹凸傷を補修することができるれども、ネジ部品の頭部底面における傾斜については、検査用のナットにネジ部品を１個ずつ装着したうえで隙間ゲージでその隙間を確認し、良品であるか不良品あるかの判断を行う必要があることから、その作業が非常に煩雑で手間を要する問題があった。【０００４】  そこで、本発明は主として熱処理、メッキ等の工程を通過する際に発生したネジ部品のネジ山における打痕等を除去する一方、ネジ部品の上下又は左右方向への振れを検出して不良品の判別を行なえる不良ネジ部品検出機を提供することを課題とする。
【課題を解決するための手段】
【０００５】  上記した問題を解決するために、本願の請求項１に記載の発明は、対向状に配置される一対のネジゲージを備え、これら両ネジゲージ間をネジ部品が回転移動する際に、ネジ部品の外周部にローリング転造でネジ山を形成又はネジ山を修正加工すべくなす一方、両ネジゲージのいずれか一方又は両方にネジ部品のネジ部に対する頭部の底面の取り付き角度の測定を行うセンサーを設けて、このセンサーによる検出結果に基づいて良品と不良品との判別を行い、かつ、不良品については良品とは別に排除するための不良品排除通路を備えていることを特徴とする。【０００６】  また、本願の請求項２に記載の発明は、固定側ネジゲージと固定側ネジゲージに対して対向状に配置される移動側ネジゲージとを備え、これら両ネジゲージ間をネジ部品が回転移動する際に、ネジ部品のネジ山を修正加工すべくなす一方、固定側ネジゲージと移動側ネジゲージにネジピッチ方向と平行する空間を任意の間隔をおいて配置すると共に、この空間にセンサープローグを挿入しネジ部品の頭部底面の上下方向への振れをネジピッチを基軸に測定検出するセンサーを設けて、これらのセンサーの検出結果に基づいて良品と不良品との判別を行い、かつ、不良品については良品とは別に排除するための不良品排除通路を備えていることを特徴とする。【０００７】  さらに、本願の請求項３に記載の発明は、固定側ネジゲージと固定側ネジゲージに対して対向状に配置される回転側ネジゲージとを備え、これら両ネジゲージ間をネジ部品が回転移動する際に、ネジ部品のネジ山を修正加工すべくなす一方、固定側ネジゲージを通過した時点に２個の回転するローラーを配設し、回転側ネジゲージにより２個のローラー中間にてネジ部品を回転させ、ネジ部品頭部の上下、左右の振れを検出するセンサーを頭部周辺に設けていることを特徴とする。
【発明の効果】
【０００８】  本発明によるネジ転造装置によれば、熱処理、メッキ等の工程を通過する際に発生したネジ部品のネジ山における打痕等を除去することができながら、同時にセンサーによりネジ部品の頭部底面の上下方向への振れを検出して不良品の判別を行うことができ、不良品については不良品排除通路から排除することができる。【０００９】  また、ネジ部品の頭部底面の上下方向への振れをネジピッチを基軸に測定検出するから、ネジ部品の頭部底面の上下方向への振れを正確に検出することができる。【００１０】  さらに、固定側ネジゲージを通過した個所にネジ部品頭部と当接する２個の回転するローラーを配設し、回転側ネジゲージにより２個のローラー中間にてネジ部品を回転させると共に、ネジ部品頭部の左右の振れによりを介して揺動するローラー付き揺動レバーと、揺動レバーの揺動からネジ部品頭部の左右の偏心度を検出するセンサーを設けるようにすれば、熱処理やメッキ処理等が施されたネジ部品のネジ山における打痕等を除去することができながら、ネジ部品における上下、左右方向への振れを固定側ネジゲージと移動側ネジゲージに設けた無接触センサーにより測定検出し、その測定結果に基づいて良品、不良品の判別を行うことができる。
【発明を実施するための最良の形態】
【００１１】  以下、本発明の実施の形態を図に基づいて説明する。
図１及び図２は本発明の不良ネジ部品検出機を示すもので、該検出機１はネジ転造装置を備えた圧造成形機（図示せず）により成形されたネジ部品Ａに熱処理やメッキ処理を施す際に発生したネジ部品Ａのネジ山における打痕等を除去する一方、図に示すようにネジ部品Ａの頭部Ａ１の底面の上下方向への振れｔ３を検出して不良品の判別を行うものである。【００１２】  この不良ネジ部品検出機１は互いに相対向する面にゲージ用のネジ山部（図示せず）を備えた一対の細長い板状の平ネジゲージ２，３を有し、これらの平ネジゲージ２，３のうち、一方の平ネジゲージ２が固定側平ネジゲージとされて固定部材４の所定位置に保持されていると共に、他方の平ネジゲージ３が移動側平ネジゲージとされて移動部材５に支持されている。移動側平ネジゲージ３はその転造開始側の一端部と固定側平ネジゲージ３の転造開始側の一端部とが近接した転造開始位置から、固定側平ネジゲージ３と重なり合う状態を経てその転造終了側の他端部と固定側平ネジゲージ３の転造終了側の他端部に近接する位置にかけて長手方向に移動可能とされている。移動部材５にはこれを長手方向に移動させる駆動装置（図示せず）が備えられている。また、固定側平ネジゲージ２はバネ６，６を介して固定部材４の凹所４１に嵌合保持され、前後方向つまり長手方向と直交する方向に多少移動可能に保持されている。【００１３】  そして、上記固定側ネジゲージ２と移動側ネジゲージ３にネジピッチ方向と平行する凹溝２ａと貫通孔３ａとを任意の間隔をおいて多数配置し、これらの凹溝２ａと貫通孔３ａにネジ部品Ａの頭部Ａ１底面の上下方向への振れをネジピッチを基軸に測定検出する無接触センサー７，８を設けて、無接触センサー７，８による検出結果に基づいて良品と不良品との判別を行うように構成している。その場合、図２に示すように固定側ネジゲージ２には、バネ６，６に抗して前後方向に多少移動可能となっている構造上、凹溝２ａにＬ形状のセンサープローグ７１を揺動可能に挿入支持すると共に、センサープローグ７１の一端側を押付バネ７２によりネジ部品Ａの頭部Ａ１底面に当接するように付勢する一方、固定部材４のセンサープローグ７１における他端側との対向位置に、センサープローグ７１の揺動に伴うその他端部との隙間の変化ｔ１を測定検出する無接触センサー７を取付けている。一方、移動側ネジゲージ３には、これの貫通孔３ａに付勢バネ８１を介して無接触センサー８を直接挿入して取付け、該センサー８とネジ部品Ａの頭部Ａ１底面との隙間ｔ２の変化を測定検出するようになされている。【００１４】  また、転造終了側の下部に製品排出通路１１を設けると共に、製品排出通路１１の途中において良品排出通路１２と不良品排除通路１３とに分岐し、かつ、分岐部分に上記無接触センサー７，８による検出結果に基づいて良品排出通路１２と不良品排除通路１３のいずれかに切り替える切替ダンパー１４を設けている。なお、図示しないがネジ部品の軸方向への浮き上がりを防止する押さえ手段が適宜設けられるのが好ましい。【００１５】  次に、上記した不良ネジ部品検出機の動作について説明する。【００１６】  まず、図１の実線で示すように固定側ネジゲージ２と移動側ネジゲージ３��一端間にネジ部品Ａを挟持し、この状態で移動側ネジゲージ３を長手方向に移動させてネジ部品Ａを両ネジゲージ２，３間で転動させる。これにより、ネジ部品Ａのネジ山における打痕傷を両ネジゲージ２，３の加工面に設けられたネジ山部で塑性変形させて修正加工が行われる。【００１７】  その場合、固定側ネジゲージ２と移動側ネジゲージ３に設けた複数の無接触センサー７，８により、ネジ部品Ａの頭部Ａ１底面の上下方向への振れを順次測定検出する。つまり、多数の無接触センサー７，８による検出結果により図３に示すようにネジ部品Ａの頭部Ａ１底面の上下方向への振れ（傾き）ｔ３を測定検出する。そして、これら各センサー７，８による検出結果に基づいて良品と不良品との判別を行い、各センサー７，８による判別結果が良品と判別したときには、切り替えダンパー１４を切り替え駆動して不良品排除通路１３を閉じ良品排出通路１２を開くように切り替え、また、不良品と判別したときには、切り替えダンパー１４により良品排出通路１２を閉じ不良品排除通路１３を開くように切り替えられる。これにより、再転造が終了してネジ部品Ａが良品のときには良品排出通路１２へ排出され、また、ネジ部品Ａが不良品のときには不良品排除通路１３へ排出されることになる。【００１８】  本発明による不良ネジ部品検出機１によれば、熱処理やメッキ処理等が施されたネジ部品Ａのネジ山における打痕等を除去することができながら、ネジ部品Ａの頭部Ａ１における底面の上下方向への振れｔ３を固定側ネジゲージ２と移動側ネジゲージ３に設けた複数の無接触センサー７，８により測定検出し、その測定結果に基づいて良品、不良品の判別を行うことができ、不良品については不良品排除通路１３から積極的に外部に排除することができる。これにより、ネジ部品Ａをドレンタンクなどのプラグ（底蓋）として使用する場合に、プラグにおける頭部底面のドレンタンクの開口部との平行度のあるもののみを正確かつ容易に選別して使用することが可能となり、油漏れなどの不具合を容易に防止することができる。【００１９】  また、ネジ部品Ａの頭部Ａ１底面の上下方向への振れｔ３をネジピッチを基軸に測定検出するから、ネジ部品Ａの頭部Ａ１底面の上下方向への振れｔ３を正確に検出することができる。【００２０】  また、図３に示す平ネジの他、例えば図４に示すようなテーパーネジＢにも適用することができる。この場合にも上記各センサーにより同様の検出動作を行って隙間ｔ１及びｔ２の測定検出を行い、その測定結果に基づいてｔ４＝ｔ５であるかどうかを判断して良品、不良品の判別を行うことになる。【００２１】  さらに、上記した実施の形態では、平ネジゲージを用いた不良ネジ部品検出機について説明したけれども、例えば図５及び図６に示すようなローラネジゲージ３Ａと固定板ネジゲージ２Ａとからなるローラ型のネジ転造装置を利用して不良ネジ部品検出機１Ａを構成してもよいし、また図７に示すような２個のローラネジゲージ２Ｂ，３Ｂを用いた丸型のネジ転造装置を利用して不良ネジ部品検出機１Ｂを構成してもよい。これらの場合にも、同様の作用効果が得られる。【００２２】  上記した実施の形態では、再転造用のネジ転造装置を利用して不良ネジ部品��出機１を構成したものについて説明したけれども、成形されたネジ本体の軸部外周に新らたにネジを切るネジ切用転造装置を利用して不良ネジ部品検出機を構成するようにしてもよい。また、センサー７，８としては、無接触タイプのセンサーを用いる他、接触タイプのセンサーであってもよいし、無接触センサーとしてはたとえばレーザー光線によるセンサーを用いて割れなどを検出してもよい。さらに、センサーを一対のネジゲージの両方にそれぞれ設ける他、ネジゲージの一方側或いは両者の中間部に設けてもよい。その場合、例えば図８に示すように、固定側ネジゲージ（ガイドローラ）２Ｂと回転側ネジゲージ３Ｂとでネジ部品Ａの打痕補正を行う構造において、固定側ネジゲージ２Ｂにネジ部品頭部Ａの上下の振れにより揺動するローラー付き揺動レバー２１と、揺動レバー２１の揺動からネジ部品頭部Ａの直角度を検出するセンサー２２を用いるようにしてもよい。【００２３】  また、図９は、別の再転造用のネジ転造装置を利用して不良ネジ部品検出機１を構成したもので、固定側ネジゲージ２Ｃと固定側ネジゲージ２Ｃに対して対向状に配置される回転側ネジゲージ３Ｃとを備え、これら両ネジゲージ２Ｃ，３Ｃ間をネジ部品Ａが回転移動する際に、ネジ部品Ａのネジ山を修正加工すべくなす一方、固定側ネジゲージ２Ｃを通過した個所にネジ部品頭部Ａと当接する２個の回転するローラー２３，２４を配設し、回転側ネジゲージ３Ｃにより２個のローラー２３，２４中間にてネジ部品Ａを回転させると共に、ネジ部品頭部Ａの左右の振れによりローラー２４を介して揺動するローラー付き揺動レバー２５と、揺動レバー２５の揺動からネジ部品頭部Ａの左右の偏心度を検出するセンサー２６を設けたものである。【００２４】  斯かる不良ネジ部品検出機１によっても、熱処理やメッキ処理等が施されたネジ部品Ａのネジ山における打痕等を除去することができながら、ネジ部品Ａの頭部Ａ１における左右方向への振れｔ６を揺動レバー２５の揺動からセンサー２６により測定検出し、その測定結果に基づいて良品、不良品の判別を行うことができる。【００２５】  なお、以上説明した実施の形態では、ローラー１４により左右方向への振れを検出するようにしたけれども、ネジ部品Ａ頭部の上下方向への振れを検出して不良品の判別を行うようにしてもよいことは勿論である。また、図１０に示すように、固定側ネジゲージ２Ｃを通過した個所に２個の回転するローラー２３，２４を配設する際、これらローラー２３，２４をネジ部品Ａの軸部に当接させるようにすれば、ネジ部品頭部Ａのネジのある、なしによりに基づくローラー２４の左右の振れにより該ローラー２４を介してローラー付き揺動レバー２５が揺動し、この揺動レバー２５の揺動からネジ部品頭部Ａのある、なしを検出することが可能となる。
【図面の簡単な説明】
【００２６】
【図１】  本発明に係る不良ネジ部品検出機の概略平面図である。
【図２】  同不良ネジ部品検出機の要部の縦断面図である。
【図３】  不良ネジ部品の説明図である。
【図４】  不良テーパーネジ部品の説明図である。
【図５】  ローラ型のネジ転造装置に本発明を適用した場合の概略説明図である。
【図６】  同不良ネジ部品検出機の要部の縦断面図である。
【図７】  二つの丸型のネジ転造装置に本発明を適用した場合の概略説明図である。
【図８】  別のセンサーを用いた説明図である。
【図９】  別の不良ネジ部品検出機の概略平面図である。
【図１０】  さらに、別の実施の形態を示す説明図である。
【符号の説明】
【００２７】２          固定側平ネジゲージ
２Ａ        固定板ネジゲージ
２Ｂ        固定側ネジゲージ
２Ｃ        固定側ネジゲージ
３          移動側平ネジゲージ
３Ａ        ローラーネジゲージ
３Ｂ        回転側ネジゲージ
３Ｃ        回転側ネジゲージ
７，８      センサー
１４        不良品排除通路
２３        ローラー
２４        ローラー
２５        ローラー
２６        センサー
Ａ          ネジ部品
Ａ１        頭部
【図１】
2006289483.tif 000003
【図２】
2006289483.tif 000004
【図３】
2006289483.tif 000005
【図４】
2006289483.tif 000006
【図５】
2006289483.tif 000007
【図６】
2006289483.tif 000008
【図７】
2006289483.tif 000009
【図８】
2006289483.tif 000010
【図９】
2006289483.tif 000011
【図１０】
2006289483.tif 000012